(57)【要約】【課題】自動ドアの重量増や円滑な開閉動作への悪影響を回避できる合理的な構成によって、スライド両開き方式の自動ドアが開いたとき、プッシュ・プル方式による横向きのエアカーテンを出入口の上端から下端まで安定良く形成できるようにする。【解決手段】スライド両開き方式の自動ドアを有する出入口の両側に、ダクトとして利用できる密閉状の戸袋５Ａ、５Ｂを設け、一方の戸袋にはプッシュ側送風機６Ａを連通連設して、当該戸袋の開口端をエアの吹出口7に形成し、他方の戸袋にはプル側送風機６Ｂを連通連設して、当該戸袋の開口端をエアの吸込口８に形成し、自動ドアの開閉と両送風機の発停とを所定のタイミングで連動させる制御装置を設けて、自動ドアが開いた際、一方の戸袋の開口端から他方の戸袋の開口端に至る横向きのエアカーテンを形成する。【選択図】図２
2012140812.tif 000002
【特許請求の範囲】
【請求項１】
スライド両開き方式の自動ドアを有する出入口の両側に位置する固定壁部分を二重に設置して、ダクトとして利用できる密閉状の戸袋に形成し、一方の戸袋にはプッシュ側送風機を連通連設して、当該戸袋の開口端をエアの吹出口に形成し、他方の戸袋にはプル側送風機を連通連設して、当該戸袋の開口端をエアの吸込口に形成し、自動ドアの開閉と両送風機の発停とを所定のタイミングで連動させる制御装置を設けて、自動ドアが開いた際、一方の戸袋の開口端から他方の戸袋の開口端に至るプッシュ・プル方式による横向きのエアカーテンを形成するようにしたことを特徴とするエアカーテン機能を有する自動ドア。
【請求項２】
戸袋を形成する二重の固定壁部分が透明ガラスであることを特徴とする請求項１に記載のエアカーテン機能を有する自動ドア。
【請求項３】
屋内側の透明ガラスが開閉可能に構成されていることを特徴とする請求項２に記載のエアカーテン機能を有する自動ドア。
【発明の詳細な説明】
【技術分野】
【０００１】
本発明は、風除室を設置できない建物の出入口に設けられるスライド両開き方式の自動ドアに関し、詳しくは、自動ドアが開いた際、屋内の空調空気が外部に漏れ出たり、外気が屋内に流れ込むのをエアカーテンにより抑制して、温度変化による熱環境の悪化や隙間風による熱負荷増大を防ぐようにしたエアカーテン機能を有する自動ドアに関する。
【背景技術】
【０００２】
自動ドアは、一般に、人の接近を感知することによって開かれ、人が通過しても、そのまま一定時間だけ開放状態に維持される。そのため、風除室の無い建物の出入口に自動ドアを設けた場合、自動ドアが閉じるまでの間に、屋内の空調空気が外部に漏れ出たり、外気が屋内に流れ込むことになり、屋内の冷暖房効率が低下する。
【０００３】
このような問題の解決策の一つとして、特許文献１に示すように、スライド両開き方式の自動ドアの開閉駆動機構を内蔵する出入口上部のケーシング部に、エアカーテン形成用の送風機を組み入れ、自動ドアが左右に開いた際、ケーシング部と自動ドアの隙間（鴨居部分の隙間）から下方に向けてエアを噴出させ、下向きのエアカーテンを形成するようにしたエアカーテン機能を有する自動ドアが提案されている。
【０００４】
しかし、この従来技術では、上部からの噴出気流のみによるエアカーテンであるから、ビルのエントランスホールのように、階高に対応した上下に長い自動ドアを持つ出入口では、エアカーテンの機能を発揮させるために、大風量の送風機が必要とされ、エアカーテンによる発生騒音が問題になるばかりでなく、人の通過時に強い風が頭に当たり、不快感を与えることにもなる。
【０００５】
これらの問題は、出入口上部のケーシング部にプッシュ側送風機を設ける一方、出入口の下部にはエアの吸込口を設けて、吸込口に連通連設されたプル側送風機によりエアを積極的に下方へ吸引し、エアカーテンを効率良く形成することによって、解決することが可能である。しかし、これによる場合、出入口の下部に吸込口を設けるため、雨仕舞いが困難であり、ゴミや砂などが吸込口に落ち込むといった新たな問題が発生することになる。
【０００６】
また、スライド両開き方式の自動ドアにおける開閉する側の端部に縦長の吹出口を設けて、自動ドアが開く際、左右の自動ドアの開口端からエアを出入口の中央に向けて噴出させることにより、横向きのエアカーテンを形成する技術も、特許文献２、３によって提案されている。特許文献２、３に記載では、左右の自動ドアの開口端から出入口の中央に向けてエアを噴出させるように構成されているが、一方の自動ドアの開口端にプッシュ側送風機を連設し、他方の自動ドアの開口端にプル側送風機を連設して、プッシュ・プル方式のエアカーテンを形成するように改良することも可能であると思われる。
【０００７】
しかし、何れにしても、これらの従来技術では、開閉動作する自動ドア自体に送風機を組み込むか、或いは、別の箇所に設置した送風機に連結された伸縮ダクトを自動ドアに連結することが必要であり、自動ドアが重くなり、自動ドアの円滑な開閉動作が阻害されることになる。殊に、一方の自動ドアの開口端にプッシュ側送風機を設け、他方の自動ドアの開口端にプル側送風機を設けて、プッシュ・プル方式による横向きのエアカーテンを形成した場合、左右の自動ドアの突合せ端部に、夫々、送風機を内蔵する不透明な縦框が位置することになるため、意匠性が非常に悪いばかりでなく、出入口正面に立ったとき、視界が遮られて不便であり、危険でもある。
【先行技術文献】
【特許文献】
【０００８】
【特許文献１】実開平６−３５５７３号公報
【特許文献２】特開昭６２−３３２３４号公報
【特許文献３】特表２００５−５０７４７０号公報
【発明の概要】
【発明が解決しようとする課題】
【０００９】
本発明は、上記の問題点を踏まえてなされたものであって、その目的とするところは、自動ドアの重量増や円滑な開閉動作への悪影響を回避できる合理的な構成によって、スライド両開き方式の自動ドアが開いたとき、プッシュ・プル方式による横向きのエアカーテンを出入口の上端から下端まで安定良く形成できるようにしたエアカーテン機能を有する自動ドアを提供することにある。
【課題を解決するための手段】
【００１０】
上記の目的を達成するために、本発明が講じた技術的手段は、次の通りである。即ち、請求項１に記載の発明によるエアカーテン機能を有する自動ドアは、スライド両開き方式の自動ドアを有する出入口の両側に位置する固定壁部分を二重に設置して、ダクトとして利用できる密閉状の戸袋に形成し、一方の戸袋にはプッシュ側送風機を連通連設して、当該戸袋の開口端をエアの吹出口に形成し、他方の戸袋にはプル側送風機を連通連設して、当該戸袋の開口端をエアの吸込口に形成し、自動ドアの開閉と両送風機の発停とを所定のタイミングで連動させる制御装置を設けて、自動ドアが開いた際、一方の戸袋の開口端から他方の戸袋の開口端に至るプッシュ・プル方式による横向きのエアカーテンを形成するようにしたことを特徴としている。
【００１１】
請求項２に記載の発明は、請求項１に記載のエアカーテン機能を有する自動ドアであって、両側の戸袋を形成する二重の固定壁部分が透明ガラスであることを特徴としている。
【００１２】
請求項３に記載の発明は、請求項２に記載のエアカーテン機能を有する自動ドアであって、室内側の透明ガラスが開閉可能に構成されていることを特徴としている。
【発明の効果】
【００１３】
請求項１に記載の発明によれば、スライド両開き方式の自動ドアを有する出入口の両側に、ダクトとして利用できる密閉状の戸袋を設け、一方の戸袋にプッシュ側送風機を連通連設し、他方の戸袋にはプル側送風機を連通連設して、自動ドアが開いた際、一方の戸袋の開口端から他方の戸袋の開口端に至るプッシュ・プル方式による横向きのエアカーテンを形成するようにしたので、エアカーテン機能を付加しているにもかかわらず、自動ドアの重量増や円滑な開閉動作への悪影響を回避できる。
【００１４】
しかも、一方の戸袋の開口端をエアの吹出口に形成し、他方の戸袋の開口端をエアの吸込口に形成したプッシュ・プル方式による横向きのエアカーテンであるから、左右のドア本体が気流を案内するガイド板の役割を兼ねることになり、このガイド板の機能が、自動ドアの開き始めから開き終わりに至るまで、出入口の上端から下端まで均一に発揮されることになり、小風量によって横向きの気流を安定良く形成できる。
【００１５】
因みに、スライド両開き方式の自動ドアが開くとき、出入口の上部から下部に向けてエアを噴流させる下向きのエアカーテンを形成する場合でも、左右のドア本体が、或る程度、ガイド板の役割を果たす。しかし、この場合、自動ドアが開いた範囲内には、ガイド板として機能するドア本体が存在しないので、自動ドアが開いた範囲（出入口の中央側）と、まだ自動ドアが開き切っていない範囲（出入口の両側部分）とでは、ドア本体によるガ
イド板の機能が不均一となる。この点、本発明の構成によれば、スライド両開き方式の自動ドアと、プッシュ・プル方式による横向きのエアカーテンとを組み合わせたので、左右のドア本体によるガイド板の機能を、自動ドアの開き始めから開き終わりに至る間、出入口の上端から下端まで均一に発揮させ得るのである。
【００１６】
従って、小風量で効率よくエアカーテンを形成でき、エアカーテンによる発生騒音の問題や、人の通過時に強い風が頭に当たり、不快感を与えるといった不都合も回避できることになり、しかも、横向きのエアカーテンであるため、雨仕舞いが容易であり、ゴミや砂などが吸込口に落ち込むといった問題も発生しない。
【００１７】
また、出入口の両側に位置する固定壁部分を戸袋に形成したので、閉じ動作するドア本体との衝突やドア本体と固定壁部分との間での挟み込みを防止して安全を確保するための自動ドア挟まれ防止柵を設置する必要がない。
【００１８】
請求項２に記載の発明によれば、両側の戸袋を形成する二重の固定壁部分が透明ガラスであるため、戸袋が視界の妨げにならず、開放感のある意匠性に優れた建物の出入口を実現できる。
【００１９】
請求項３に記載の発明によれば、室内側の透明ガラスが開閉可能であるため、透明ガラスで形成された戸袋の内面側を容易に清掃することができ、戸袋内部を美麗に保って、優れた意匠性を維持することができる。
【図面の簡単な説明】
【００２０】
【図１】本発明の実施形態を示す自動ドアの斜視図である。
【図２】上記の自動ドアの正面図である。
【図３】上記の自動ドアの閉じ状態における横断平面図である。
【図４】上記の自動ドアの開き始めにおける横断平面図である。
【図５】上記の自動ドアの開き終わりにおける横断平面図である。
【図６】他の実施形態を示す自動ドアの正面図である。
【発明を実施するための形態】
【００２１】
図１〜図５は、本発明に係るエアカーテン機能を有する自動ドアの一例を示す。この自動ドアは、スライド両開き方式（引分戸）とされ、出入口の上部ケーシング１に、２枚のドア本体２を吊下げ支持する既知構造の開閉駆動機構３が内蔵されている。出入口の下部にはドア本体２の下端部をガイドする溝状のガイドレール４が設けられている。ドア本体２は透明ガラスによって構成されている。
【００２２】
出入口の両側には、透明ガラスによって構成された固定壁部分を二重に設置することにより、ダクトとして利用できる密閉状の戸袋５Ａ、５Ｂを形成してある。一方の戸袋５Ａにはプッシュ側送風機６Ａを連通連設して、当該戸袋５Ａの開口端をエアａの吹出口7に
形成し、他方の戸袋５Ｂにはプル側送風機６Ｂを連通連設して、当該戸袋５Ｂの開口端をエアａの吸込口８に形成してある。この実施形態においては、両送風機６Ａ、６Ｂを、夫々、戸袋５Ａ、５Ｂの両側に設けた中空構造の柱状部材９Ａ、９Ｂに内蔵させてあり、一方の柱状部材９Ａには室内側に開口する吸気口１０が形成され、他方の柱状部材９Ｂには室内側に開口する排気口１１が形成されている。両送風機６Ａ、６Ｂとしては、例えば、クロスフローファン、シロッコファンなど、種々の形式のものを採用することが可能である。
【００２３】
上部ケーシング１には、室外側と室内側に、夫々、人の接近を感知するセンサ１２が設けられている。自動ドアの開閉駆動機構３と両送風機６Ａ、６Ｂの電源回路には、センサ
１２による検知信号に基づいて、自動ドアの開閉と両送風機６Ａ、６Ｂの発停とを所定のタイミングで連動させる制御装置（図示せず）が設けられている。そして、自動ドアが開いた際、一方の戸袋５Ａの開口端（吹出口7）から他方の戸袋５Ｂの開口端（吸込口８）
に至るプッシュ・プル方式による横向きのエアカーテンを形成するように構成してある。
【００２４】
戸袋５Ａ、５Ｂを形成する二重の透明ガラスのうち、室内側の透明ガラス５ａ、５ｂは、柱状部材９Ａ、９Ｂによって縦軸芯周りで揺動可能な状態に支持されており、必要に応じて図外のロック機構を室内側から解除することにより、透明ガラス５ａ、５ｂを開閉できるように構成されている。
【００２５】
上記の構成によれば、スライド両開き方式の自動ドアを有する出入口の両側に、ダクトとして利用できる密閉状の戸袋５Ａ、５Ｂを設け、一方の戸袋５Ａにプッシュ側送風機６Ａを連通連設し、他方の戸袋５Ｂにはプル側送風機６Ｂを連通連設して、自動ドアが開いた際、一方の戸袋５Ａの開口端（吹出口7）から他方の戸袋５Ｂの開口端（吸込口８）に
至るプッシュ・プル方式による横向きのエアカーテンを形成するようにしたので、エアカーテン機能を付加しているにもかかわらず、自動ドアの重量増や円滑な開閉動作への悪影響を回避できる。
【００２６】
しかも、一方の戸袋５Ａの開口端をエアの吹出口7に形成し、他方の戸袋５Ｂの開口端
をエアの吸込口８に形成したプッシュ・プル方式による横向きのエアカーテンであるから、左右のドア本体２が気流を案内するガイド板の役割を兼ねることになり、このガイド板の機能が、自動ドアの開き始めから開き終わりに至るまで、出入口の上端から下端まで均一に発揮され、小風量によって横向きの気流を安定良く形成できる。
【００２７】
従って、小風量で効率よくエアカーテンを形成でき、エアカーテンによる発生騒音の問題や、人の通過時に強い風が頭に当たり、不快感を与えるといった不都合も回避できることになり、しかも、横向きのエアカーテンであるため、雨仕舞いが容易であり、ゴミや砂などが吸込口に落ち込むといった問題も発生しない。
【００２８】
また、出入口の両側に位置する固定壁部分を戸袋５Ａ、５Ｂに形成したので、閉じ動作するドア本体２との衝突やドア本体２と固定壁部分との間での挟み込みを防止して安全を確保するための自動ドア挟まれ防止柵を設置する必要がない。
【００２９】
また、上記の構成によれば、両側の戸袋５Ａ、５Ｂを形成する二重の固定壁部分が透明ガラスであるため、戸袋５Ａ、５Ｂが視界の妨げにならず、開放感のある意匠性に優れた建物の出入口を実現できる。しかも、室内側の透明ガラス５ａ、５ｂが開閉可能であるため、透明ガラスで形成された戸袋５Ａ、５Ｂの内面側を容易に清掃することができ、戸袋５Ａ、５Ｂ内部を美麗に保って、優れた意匠性を維持することができる。
【００３０】
図６は、本発明の他の実施形態を示す。この実施形態は、戸袋５Ａ、５Ｂに連通連設するプッシュ側送風機６Ａ、プル側送風機６Ｂを、夫々、出入口から離れた室内側の適当な位置（例えば、天井空間など）に設け、戸袋５Ａ、５Ｂと両送風機６Ａ、６Ｂとを、夫々、配管１３Ａ、１３Ｂ及び中空構造の柱状部材９Ａ、９Ｂを介して接続した点に特徴がある。この場合、中空構造の柱状部材９Ａ、９Ｂは、エアチャンバーとして機能することになる。その他の構成、作用は、先の実施形態と同じであるため、説明を省略する。
【符号の説明】
【００３１】
１  上部ケーシング
２  ドア本体
３  開閉駆動機構
４  ガイドレール
５Ａ、５Ｂ  戸袋
５ａ、５ｂ  室内側の透明ガラス
６Ａ  プッシュ側送風機
６Ｂ  プル側送風機
７  吹出口
８  吸込口
９Ａ、９Ｂ  柱状部材
１０  吸気口
１１  排気口
１２  センサ
１３Ａ、１３Ｂ  配管
【図１】
2012140812.tif 000003
【図２】
2012140812.tif 000004
【図３】
2012140812.tif 000005
【図４】
2012140812.tif 000006
【図５】
2012140812.tif 000007
【図６】
2012140812.tif 000008